(57)【要約】【課題】受信した放送内容をデジタル音声データとしてネットワークに配信して、簡易な端末で使用できるようにしたサービスの利便性を向上させることができる装置を提供すること。【解決手段】ラジオ放送波受信回路を有し、ローカルエリアネットワーク網に接続するネットワーク接続型放送受信装置であって、前記ラジオ放送波受信回路により受信した音声信号をデジタル化してパケット生成回路によりパケット生成し前記ローカルエリアネットワーク網に送信することにより前記ローカルエリアネットワーク網に接続された一以上のユーザ端末に受信可能としたネットワーク接続型放送受信装置を特徴とする。【選択図】図３
2010130370.tif 000002
【特許請求の範囲】
【請求項１】
ラジオ放送波受信回路を有し、ローカルエリアネットワーク網に接続するネットワーク接続型放送受信装置であって、
前記ラジオ放送波受信回路により受信した音声信号をデジタル化してパケット生成回路によりパケット生成し前記ローカルエリアネットワーク網に送信することにより前記ローカルエリアネットワーク網に接続された一以上のユーザ端末に受信可能としたことを特徴とするネットワーク接続型放送受信装置。
【請求項２】
前記ラジオ放送波は複数チャンネルであり、該複数チャンネルを同時に受信した各チャンネルの音声信号を同時にデジタル化し各チャンネル毎の情報を前記各チャンネルのデジタル化した音声信号毎に付してパケットを生成し、前記一以上のユーザ端末の各々に、前記パケット送信された前記複数チャンネルの１つを選択させて再生可能としたことを特徴とする請求項１に記載のネットワーク接続型放送受信装置。
【請求項３】
前記ネットワーク接続型放送受信装置と前記ネットワークへの接続が有線または無線通信によってされることを特徴とする請求項１または２に記載のネットワーク接続型放送受信装置。
【請求項４】
前記ネットワークへの前記パケット生成しての送信をブロードキャスト方式により前記ローカルエリアネットワーク網に接続している前記ユーザ端末へ提供可能としたことを特徴とする請求項１〜３のいずれかに記載のネットワーク接続型放送受信装置。
【請求項５】
前記ネットワーク接続型放送受信装置は、無線ＬＡＮアクセスポイント機能を有し、前記ネットワーク接続型放送受信装置の一つの無線チャンネルは、ブロードキャスト方式により放送サービスを配信し、他の１つの無線チャンネルは、データ通信が可能なことを特徴とする請求項４に記載のネットワーク接続型放送受信装置。
【請求項６】
前記ラジオ放送波受信のための周波数選択を、前記ローカルエリアネットワーク網に接続された前記ユーザ端末により操作出来ることを特徴とする請求項１〜５のいずれかに記載のネットワーク接続型放送受信装置。
【請求項７】
前記ネットワーク網への前記ユーザ端末の接続は有線であることを特徴とする請求項１〜６のいずれかに記載のネットワーク接続型放送受信装置。
【発明の詳細な説明】
【技術分野】
【０００１】
本発明は、中波放送、短波放送、ＦＭ放送およびテレビジョン放送の音声によるアナログ放送を受信し、その受信した音声をデジタル化してネットワーク網を介してデジタル端末に配信するネットワーク接続型放送受信装置に関する。
【背景技術】
【０００２】
放送サービスを受信する手段として、ラジオ受信機による放送波の受信などが挙げられる。ラジオ受信機は、そのラジオ受信機のみでなく、ＣＤプレーヤーやアンプと一体になったラジオ受信機や、デジタルオーディオプレーヤーや携帯電話などに内蔵されたラジオなど、その種類は多岐に渡って存在している。いずれも、内臓アンテナもしくは外部に取り付けたアンテナにより、放送局から送り出される空中線（ラジオ電波）を受信し、これを音声信号に復調してスピーカーなどを通してラジオの音声が再生される。
【０００３】
一方、現在の放送サービスが享受できないエリアも増加し続けているのが現状である。たとえば、地下や鉄筋などの金属構造体で覆われた部屋などでは、電波が入ってこないことなどが原因でこれら放送を感受出来ない。
【０００４】
もちろん屋外に設置したアンテナから、放送サービスを利用できる場合もある。しかしその場合でも、図１５に示す受信装置Ａにおいて、アンテナの設置や配線敷設などが必要である。
【０００５】
また、図１６に示す例のように、鉄道車両などの金属製の構造体の内部でも、窓以外からの電波の入力が制限されるため（電場が遮蔽されるため）、ラジオ放送などを良好の品質で受信することは難しいという問題点がある。特にトンネル内、山などの陰、あるいは地下などでの受信装置Ａにおける電波受信は難しい。
【０００６】
また自動車などにおいて高速道路のトンネル内など、放送サービスの利用が困難なエリアも増加している。このような高速道路における環境下において、トンネル内での交通情報の伝達の重要性に立脚した放送サービスも存在する。このサービスでは、放送されている電波をいったん受信し、同じ周波数で再送信するための中継装置が利用されている。こうした中継装置は、非常に大掛かりであるためコストが嵩むが、前記したように交通の安全性を特に必要とするエリアではコストを度外視して提供される。一方、各家庭などでの個人の利用や、あるいは、ある少人数のコミュニティなどでの利用のように、コストをあまりかけずに放送のサービスを享受したいような環境下では、前記した中継装置などを設けることは適さない。
【０００７】
一方、最近、インターネットラジオやストリーミング再生による音声情報サービスが提供されている。
【０００８】
これらは、インターネット網を利用し遠隔地にあるサーバから、IP接続された端末装置に音声データなどをリアルタイムに送ったり、あるいはファイルデータとして利用者にダウンロードさせて利用されている。これらの技術は、ネットワークに接続出来る端末装置が利用できるため、広く利用されている。
【０００９】
このような技術として、たとえば特許文献１で示されるように受信が困難な環境に対して、一旦受信し、これを再度変調等して、同一周波数かつ同一変調方式で再送信して、他の受信機で受信する発明が存在する。
【００１０】
しかし、この公報には、放送受信装置及びトランスミッター送信装置を用意し、さらに放送受信装置で受信することになり、受信装置利用者のみが恩恵を受けることになる。
【００１１】
トンネルなど、情報入手が重要なエリアでは、受信装置の汎用性が重要となるが、一般家庭内における放送電波の遮断される区域内（地下室なども含む）や限られたエリアでの利用を想定すると、広汎囲な一般のユーザが所持する端末装置で利用可能なサービスを提供する簡易な装置が求められている。
【００１２】
また特許文献２には、放送用情報伝送システムの発明が開示されている。この文献にはラジオ放送局からの放送用情報が放送用情報送信サーバによってパケット化され、このパケット化された放送用情報が放送用情報送信サーバから、ゲートウェイを介して無線基地局から携帯電話装置に送信され、携帯電話装置によって受信されたパケット化された放送用情報が音声を出力することが記載されている。このように、特許文献２には、一旦サーバに情報を落としてからネットワークに送信している。このような構成においては、本発明のように装置を低コストに抑えることはできない。
【００１３】
さらに特許文献３には、アンテナやケーブルに接続できるところでなくとも、また、電波状態が悪いところでも良好に視聴できる放送受信装置を提供することを目的として、放送受信用アンテナで受信したラジオやテレビの電波の映像・音声情報を近距離無線方式のデータフォーマットに変換して中継制御部に出力し、中継制御部は、中継移動機との無線通信を行い、放送受信部が出力するデータ信号を中継移動機に送信して中継移動機は中継制御部との無線通信を行なって中継制御部から受信した映像情報をＬＣＤなどの表示装置に表示出力し、中継制御部から受信した音声情報をスピーカーに音声出力する放送受信装置が開示されている。
【００１４】
この文献で用いられている方式では、近距離無線方式のデータフォーマットを利用しており、近距離無線方式としてＰＨＳやＢｌｕｅｔｏｏｔｈなどの無線通信信号に変換して出力することが開示されている（特許文献３の段落００１９〜００２０）。また双方向通信の記載がされており、これは、放送局と放送受信装置との間で行なわれている（同公報の段落００２３〜００２４）。
【特許文献１】特開平０２−２６０７２６号公報
【特許文献２】特開２００６−１３５７５７号公報
【特許文献３】特開２００２−３５４２８５号公報
【発明の開示】
【発明が解決しようとする課題】
【００１５】
現在国内で普及しているＦＭラジオなどの放送サービスは、前記したように、鉄筋などの建築物内、鉄骨構造等の建物のために、電波がその建物内に侵入せず放送サービスを享受できない。このエリアには、地下施設や鉄道車両内なども含まれ、これらのエリア内では放送電波が伝播しにくいため受信が困難という問題点がある。
【００１６】
一方ネットワークへの接続機能を持った端末装置や携帯型の端末装置は個人一人一人に行渡りつつある。本発明は、このようなネットワークへの接続機能を持った端末装置や携帯型の端末装置により、前記したエリア内においても、放送サービスを享受可能とするような放送を受信し、これをネットワークへ供給するようなネットワーク接続型放送受信装置を提供することを目的としている。換言すれば、本発明は、受信した放送内容をデジタル音声データとしてネットワークに配信して、簡易な端末で使用できるようにしたサービスの利便性を向上させることができる装置を提供することを目的とする。
【課題を解決するための手段】
【００１７】
上記の課題を解決するために、請求項１に記載の発明は、ラジオ放送波受信回路を有し、ローカルエリアネットワーク網に接続するネットワーク接続型放送受信装置であって、前記ラジオ放送波受信回路により受信した音声信号をデジタル化してパケット生成回路によりパケット生成し前記ローカルエリアネットワーク網に送信することにより前記ローカルエリアネットワーク網に接続された一以上のユーザ端末に受信可能としたネットワーク接続型放送受信装置を特徴とする。
【００１８】
また請求項２に記載の発明は、請求項１において、前記ラジオ放送波は複数チャンネルであり、該複数チャンネルを同時に受信した各チャンネルの音声信号を同時にデジタル化し各チャンネル毎の情報を前記各チャンネルのデジタル化した音声信号毎に付してパケットを生成し、前記一以上のユーザ端末の各々に、前記パケット送信された前記複数チャンネルの１つを選択させて再生可能としたネットワーク接続型放送受信装置を特徴とする。
【００１９】
また請求項３に記載の発明は、請求項１または２において、前記ネットワーク接続型放送受信装置と前記ネットワークへの接続が有線または無線通信によってされるネットワーク接続型放送受信装置を特徴とする。
【００２０】
また請求項４に記載の発明は、請求項１〜３のいずれかにおいて、前記ネットワークへの前記パケット生成しての送信をブロードキャスト方式により前記ローカルエリアネットワーク網に接続している前記ユーザ端末へ提供可能としたネットワーク接続型放送受信装置を特徴とする。
【００２１】
また請求項５に記載の発明は、請求項４において、前記ネットワーク接続型放送受信装置は、無線ＬＡＮアクセスポイント機能を有し、前記ネットワーク接続型放送受信装置の一つの無線チャンネルは、ブロードキャスト方式により放送サービスを配信し、他の１つの無線チャンネルは、データ通信が可能なネットワーク接続型放送受信装置を特徴とする。
【００２２】
また請求項６に記載の発明は、請求項１〜５のいずれかにおいて、前記ラジオ放送波受信のための周波数選択を、前記ローカルエリアネットワーク網に接続された前記ユーザ端末により操作出来るネットワーク接続型放送受信装置を特徴とする。
【００２３】
また請求項７に記載の発明は、請求項１〜６のいずれかにおいて、前記ネットワーク網への前記ユーザ端末の接続は有線であるネットワーク接続型放送受信装置を特徴とする。
【発明の効果】
【００２４】
本発明によれば、放送サービスの受信が困難なユーザに対して、ＬＡＮによるネットワーク網を利用して放送内容を配信することによって、サービスを享受できないエリアに、あまりコストをかけずに配信可能とすることが出来る。
【００２５】
また、ＬＡＮによるネットワーク網への配信形態にすることで、サービス享受できない列車内などに対してもユーザが容易に利用することが期待できる。
【発明を実施するための最良の形態】
【００２６】
以下、図面を参照して、本発明のネットワーク接続型放送受信装置について、実施形態を用いて、詳細に説明する。
【００２７】
本発明のネットワーク接続型放送受信装置１では、図１に示すような、アンテナ装置、同調回路、高周波増幅回路、検波回路、低周波増幅回路など、アナログ放送波受信に必要なアナログ放送の回路ブロックを有している。
【００２８】
また本発明のネットワーク接続型放送受信装置では、受信したアナログ放送の信号を、図１に示すアナログ復調器または図２に示すデジタル復調器により復調処理を行う。すなわちアナログ復調器では、ＡＭ放送であればその受信波の周波数に合わせて受信可能にして必要なチャンネルのＡＭ波を受信し増幅等してそれを音声に変換し、またＦＭ放送であれば受信波から搬送波を除いて信号波を取り出し、これを音声に変換する。
【００２９】
なおネットワークとしてＬＡＮを本発明では用い、以下、これを単にネットワークと表現して説明する。本発明では近距離通信としての利点を持ちながら高容量通信を保持するＬＡＮをネットワークとして用い、簡易で通信費用もほとんど掛からない通信に着目してなされたものである。
【００３０】
図１に示す構成では、アンテナにより放送電波を受信し、同調回路で目的とする周波数の電波を選択し、高周波増幅回路で微弱な受信信号を増幅した後、検波回路で交流信号である受信信号を整流処理し、復調回路で、たとえばＡＭ放送波であれば、振幅復調処理を行い、ＦＭ放送波であれば周波数復調処理を行って、音声信号を取り出した後に低周波増幅回路で増幅し、スピーカーなどに送って音声に変換するような一般的なアナログ受信装置の構成を示す。
【００３１】
図２に示す構成も、図１に示すアナログ受信装置と同様なラジオの基本的な構成を有する装置構成を示す。ただし図２ではデジタル受信装置（デジタルラジオ受信装置）となっている。
【００３２】
この図において示すように、デジタル受信機は装置構成にデジタルに変換したり、その逆にアナログに変換する装置が導入され、処理の一部がデジタル化されて処理されている。図２に示すように、アンテナ装置から入ってきた放送電波は、周波数選択回路で目的とする周波数の電波が選択されて受信して信号となり、高周波増幅回路で受信した選択された信号は微弱であるため、この微弱な信号が増幅されて、周波数変換回路で、この後の信号処理に都合のよい低い周波数に変化した後、ＡＤコンバーターによりデジタル信号に変換される。その後は、変換されたデジタル信号がＤＳＰ復調回路で音声信号（音声デジタル信号）に復調され、これをDAコンバータにより再びアナログ信号に変換された後に、増幅回路で増幅されてスピーカーなどにより音声に変換される。
【００３３】
従来の、放送サービスを利用するための受信装置は、おおむね図１〜２に示す上記したような構成になっている。
【００３４】
次に本発明のネットワーク接続型放送受信装置１について、説明する。本発明のネットワーク接続型放送受信装置１では、図３に示すように、放送サービスを受信するためのそれぞれのバンドに対応してそのバンドを受信するための受信回路（図１又は図２に示す受信装置）と、各受信回路から、デジタル復調器としてデジタル受信回路を用いた場合には、復調後の音声データはデジタル信号となっているのでそのまま利用される。すなわちこの場合には、デジタル化回路２を省略している。またアナログ復調器としてアナログ受信回路を用いた場合には、いったんアナログ音声信号に復調した後、デジタル化するデジタル化回路２において処理を加えてデジタル音声信号にした信号を用いる。
【００３５】
図３に示す構成では、放送波の受信部分として、ＦＭ受信回路、ＡＭ受信回路、短波受信回路の三つの受信回路を有する構成を例として挙げている。これら３つの回路は前記した図１に示すようなアンテナ回路とＡ−１のアナログ回路を有していてもよく、図２に示すようなアンテナ回路とＡ−２のデジタル回路を有していてもよい。ただし３つの回路が全てアナログ回路か、３つの回路全てがデジタル回路であるほうが好ましいが、前記したようにこれらのいずれかがアナログ回路ではアナログ音声信号に復調した後、デジタル音声信号にする処理を加えてデジタル化する。
【００３６】
それぞれの受信回路は、図１〜図２のいずれかに示される構成であり、その後、図３に示すように、受信した音声をデジタル化するデジタル化回路２でデジタル信号化し、パケット生成回路３において、ＴＣＰ／ＩＰのパケットデータを生成し、ネットワーク制御回路４により、ネットワーク網（ＬＡＮ）へ形成したパケットを送信するように接続されている。
【００３７】
こうしてデジタル化された放送サービスの音声信号を、通信プロトコルであるＴＣＰ／ＩＰなどで利用されるパケットデータに変換し、このパケットデータをネットワーク網（ＬＡＮ）１−２に送り出す。このようなパケットデータの構成例を図５に示す。なお図５中、ＦＣＳはFrame Check Sequenceである。
【００３８】
利用者は、ユーザ端末２０により、送られてきた図５に示すようなパケットデータを受信してこのデータからデジタル音声データ（図５に示す放送データー）を取り出し、ユーザ端末２０上で動作するアプリケーションソフトを用いてアナログ音声化処理を行い、スピーカーなどで音声として再生して利用することができる。
【００３９】
端末装置２０としては、さまざまなタイプの製品が存在しており、これらの端末にソフトウェアを追加することで、利用できるようにする。好ましくは端末装置２０としてはネットワークに接続可能なデジタル機器であり、容易にソフトウェアを検索できダウンロード等ができ、そのソフトウェアを端末上で解凍等して使用可能とするものである。したがって各種ゲーム機２０”、携帯電話機２０’など、コンピュータ機能を有する様々な機器が挙げられる。
【００４０】
本発明のネットワーク接続型放送受信装置１の他の１態様を図４に示す。この図４では、複数のチャンネルを一度に受信する構成を示した本発明のネットワーク接続型放送受信装置１の１態様を示している。この図に示すような構成により、放送を受信するための回路を複数搭載するか、または、図６に示すように、広帯域に受信が可能な広帯域受信回路１４を搭載した構成にすることで、複数の放送チャンネルにわたる放送を同時に受信してデジタル化し、デジタル化されたこれらの情報を放送チャンネル情報とあわせてパケットデータに変換する。これによって利用者は、ユーザ端末２０から受け取ったパケットデータの中から聞きたい放送のチャンネルを選択して放送データーを音声化して利用することができる。このように利用者（ユーザ）に対して放送サービスの選択が可能となるので、さらに、利便性を向上させることが出来る。本発明のネットワーク接続型放送受信装置１は、受信した放送をそのままデジタル化しているので、これを一旦保存するようなサーバを実質的に有していない。このため本発明のネットワーク接続型放送受信装置１では、コストをアップすることがなく、簡易で低コストに放送サービスを提供することが可能な構成となっている。
【００４１】
また、たとえば図７に示すように、本発明のネットワーク接続型放送受信装置１では、ネットワーク１−２への接続方法として無線通信ユニットを内蔵した構成を有している。これによってネットワーク１−２への配信が行なえるので、ユーザ端末２０側では、前記したように、パーソナルコンピュータなどの端末装置２０だけでなく、ノートPCやPDA（Personal Digital Assistance）などの携帯端末や、携帯電話、スマートフォン、モバイルコミュニケーターなどの端末、さらに、ゲーム機などさまざまな無線通信機能を持った機器でサービスを受ける事が出来るようになる。
【００４２】
ここで、想定している、無線通信とは、たとえば、IEEE  802.11  などの無線ＬＡＮが利用できる。また、今後、新しく規格化される無線通信技術についても、応用可能性がある。
【００４３】
ネットワーク網１−２に音声データを配信する場合、図１０に示すような、通常の１対１の通信方式（ユニキャスト方式）では、利用者（ユーザ）は１名であり、対コストの面から言えば好ましくない。また１対多通信でもマルチキャストのような通信相手を特定した１対多通信（マルチキャスト方式）では、事前の登録などの手順が必要となり、手続きが煩雑である。もちろん、有料サービスの場合、マルチキャストで行うとかえってメリットとなる。このため、不特定のユーザに放送サービスを拡大するために、本発明におけるネットワークへの音声データ配信方法はブロードキャスト方式を用いて行われることが望ましい。これにより、誰でも対応する端末装置を持つことでサービスが受けられることになる。
【００４４】
本発明のネットワーク接続型放送受信装置１は、ネットワーク網１−２への接続機能を持っているため、図８の構成とすることにより、そのネットワーク網１−２からコマンドを送って操作することが可能である。この特徴を利用して、利用者側のアプリケーションソフトからネットワーク網を経由してネットワーク接続型放送受信装置１を操作することが出来る。この場合、不特定のユーザから一斉にリクエストが来ても対応できないため、こうした操作は、図８に示すような１対１のユニキャスト方式で対応できるようにすることができる。この機能により、受信する放送チャンネルの選択や周波数帯域の変更などを端末側から行うようにすることもできる。
【００４５】
本発明のネットワーク接続型放送受信装置１の一態様例を、図９に示す。この図では、一般的な家屋やビルなどの利用環境を想定した建物において、放送電波を受信することが可能な、窓などの開口部付近に、本発明のネットワーク接続型放送受信装置１を設置し、これを、有線、または無線通信により端末装置２０に接続することで、受信された放送内容を端末装置で聞いたり、録音することが出来る。
【００４６】
また図１０は、有線により本発明のネットワーク接続型放送受信装置１がネットワーク網１−２と接続される構成図である。図１０に示すように、ネットワーク接続型放送受信装置のネットワークへの接続方法が有線ケーブルによって実現されることも可能である。この場合、ネットワーク接続型放送受信装置１自身もネットワーク網１−２の一端末として接続され、ほかのネットワーク網利用者からＩＰ接続などにより利用できるようにすることもできる。
【００４７】
このような実施の態様の１つとして、無線通信により端末装置と接続する例を、図１１〜図１２に示す。図１１は、本発明のネットワーク接続型放送受信装置１を、有線によるネットワーク網１−２との接続がされている図である。この図では、入手が可能な無線ＬＡＮのアクセスポイントとして接続しており、各種の無線端末装置２０、２０’、２０”、・・・に接続が可能であることを示している。図１２は、本発明のネットワーク接続型放送受信装置１のネットワーク網１−２への接続方法として、無線通信機能を利用できる構成のネットワーク接続型放送受信装置１を示す。本構成では、無線機能を持った端末装置やゲーム機などと直接接続して、放送サービスを受け取ることが出来る。
【００４８】
図１３は、このような無線通信機能を利用できる構成のネットワーク接続型放送受信装置１を用いて、たとえば交通手段としての電車内で本発明のネットワーク接続型受信装置１を用いた例である。すなわち金属体に覆われた電車、飛行機などの車内において無線機能を有するユーザ端末２０を用いて、電波の届きにくい車内でも、本発明のネットワーク接続型放送受信装置を用いることにより、放送サービスを享受することができる。
【００４９】
また、本発明のネットワーク接続型放送受信装置では、ネットワーク網（ＬＡＮ）に接続する時、一つの無線チャンネルのみを持ってつながった場合、その経路のみが利用可能となるので通信サービスが限定されてしまう。
【００５０】
この点を解消するため、本発明のネットワーク接続型放送受信装置に対して放送サービスの配信を行う通信ポートあるいは無線チャンネルとは別に、通常のネットワーク網として利用可能な通信ポートを利用できるようにする。これによって、ネットワーク網へのアクセスポイントとしての機能を発揮させることができる。また上記利用可能な通信ポートの代わりに無線チャンネルを利用することもできる（図１４参照）。
【００５１】
これにより、利用者は、放送サービスを享受することができ、また通常のネットワーク網の利用を同時に、あるいは選択して利用することもできる。このように、図１４に示すように、本発明のネットワーク接続型放送受信装置では、ユニキャスト、マルチキャスト、ブロードキャストによって区別した集団毎にグループが編成できるため、各グループに応じたコストで装置構成を自在に調整することができる。本発明では図１４に示すマルチキャスト接続グループにコンピュータ機能を有する画像形成装置（デジタルプリンタなど）を含むことができる。
【図面の簡単な説明】
【００５２】
【図１】本発明のネットワーク接続型放送受信装置で用いられるアナログ受信回路の例である。
【図２】本発明のネットワーク接続型放送受信装置で用いられるデジタル受信回路の例である。
【図３】本発明のネットワーク接続型放送受信装置の概略構成を示すブロック図である。
【図４】図３に示す本発明のネットワーク接続型放送受信装置の概略構成における受信回路の他の態様を示すブロック図である。
【図５】本発明のネットワーク接続型放送受信装置で作成されるパケットの構成を示す図である。
【図６】図１に示す本発明のネットワーク接続型放送受信装置の概略構成における受信回路の他の態様を示すブロック図である。
【図７】図６に示す本発明のネットワーク接続型放送受信装置における好ましい構成のブロック図である。
【図８】本発明のネットワーク接続型放送受信装置のネットワーク網への通信方式として、有線型のユニキャスト方式を採用した場合の図である。
【図９】本発明のネットワーク接続型放送受信装置のネットワーク網への通信方式として、有線型のユニキャスト方式を採用した場合の一態様例を示す図である。
【図１０】本発明のネットワーク接続型放送受信装置のネットワーク網への通信方式として、有線型のマルチキャスト方式を採用した場合の図である。
【図１１】本発明のネットワーク接続型放送受信装置を、有線によるネットワーク網との接続がされ、無線LANのアクセスポイントとして接続されている例である。
【図１２】本発明のネットワーク接続型放送受信装置を、ネットワーク網への接続方法として無線通信機能を利用できる構成とした例を示す図である。
【図１３】鉄道車両などの車体外部に設置した、ネットワーク網への接続方法として無線通信機能を利用できる本発明のネットワーク接続型放送受信装置の一態様例を示す図である。
【図１４】通常のネットワーク網として利用可能な通信ポートを利用できる本発明のネットワーク接続型放送受信装置のネットワーク網と端末との通信別の構成を示した図である。
【図１５】従来のラジオ受信機における電波の受信条件とその受信装置における建物との関係を説明するための図である。
【図１６】従来のラジオ受信装置における金属体で囲まれた車体内での電波の受信条件との関係を説明するための図である。
【符号の説明】
【００５３】
１    ネットワーク接続型放送受信装置
１−１    無線アクセスポイント
１−２    ネットワーク網
２    デジタル化回路
３    パケット生成回路
４    ネットワーク制御回路
１１    ＦＭ受信回路（ＦＭ放送受信回路）
１２    ＡＭ受信回路（ＡＭ放送受信回路）
１３    短波受信回路（短波放送受信回路）
１４    広帯域受信回路（広帯域波受信回路）
２０    端末（パーソナルコンピュータ）
２０’    端末（携帯電話）
２０”    端末（ゲーム機あるいはＰＤＡ）
２１    画像形成装置（デジタルプリンタ）
Ａ−１    アナログ回路
Ａ−２    デジタル回路
【図１】
2010130370.tif 000003
【図２】
2010130370.tif 000004
【図３】
2010130370.tif 000005
【図４】
2010130370.tif 000006
【図５】
2010130370.tif 000007
【図６】
2010130370.tif 000008
【図７】
2010130370.tif 000009
【図８】
2010130370.tif 000010
【図９】
2010130370.tif 000011
【図１０】
2010130370.tif 000012
【図１１】
2010130370.tif 000013
【図１２】
2010130370.tif 000014
【図１３】
2010130370.tif 000015
【図１４】
2010130370.tif 000016
【図１５】
2010130370.tif 000017
【図１６】
2010130370.tif 000018